(57)【要約】【課題】認証開始タイミングを受信器の機能に合わせて可変に設定する。【解決手段】  データ再生装置は、受信したコンテンツを予め準備された画像表示装置２１０に出力する受信器２０１と、受信器２０１の認証に成功したときコンテンツを受信器２０１に送信する送信器１０１とを備える。送信器１０１は、コンテンツ送信前に、受信器２０２に認証開始要求を送信して所定時間経過後に認証処理を実行する。受信器２０２を認証できないときは、認証開始要求の送信と認証処理との実行を繰返する。なお、所定時間は、認証開始要求の送信と認証処理との実行の回数に応じて可変に設定される。【選択図】図１
2008219796.tif 000002
【特許請求の範囲】
【請求項１】
受信したコンテンツデータを予め準備された出力部に出力する受信器と、前記受信器の認証に成功したと検出されたとき前記コンテンツデータを前記受信器に送信する送信器とを備えるデータ再生装置であって、
前記送信器は、
前記コンテンツデータの送信に先立って、前記受信器に認証開始要求を送信し、送信後の所定時間経過後に、認証処理を実行する認証部を含み、
前記認証処理の結果に基づき前記受信器の認証に成功しなかったと検出されたとき、前記認証開始要求の送信と前記認証処理との実行を繰返し、
前記所定時間は、前記認証開始要求の送信と前記認証処理との実行の回数に従い可変に設定され、
前記認証処理は、ＨＤＣＰに従う認証処理を指し、
前記送信器は、通信ケーブルを介して前記受信器が接続されたことを検出する接続検出部を含み、前記認証開始要求は、前記接続検出部による前記受信器の接続検出がされた後に送信され、
前記送信器は、
前記接続検出部による前記受信器の接続検出がされた後に、前記受信器に対し、前記出力部の特性を指すパラメータの要求を送信するパラメータ要求部をさらに含み、
前記パラメータ要求部が送信した前記要求に応じて前記受信器から受信した前記パラメータに基づき、ダミーの映像信号を生成し、生成した前記ダミーの映像信号を前記認証開始要求として前記受信器に送信し、
前記送信器は、前記コンテンツデータをＤＶＤから再生するＤＶＤ装置に搭載されて、前記受信器はテレビジョン受像機に搭載される、データ再生装置。
【請求項２】
受信したコンテンツデータを予め準備された出力部に出力する受信器と、前記受信器の認証に成功したと検出されたとき前記コンテンツデータを前記受信器に送信する送信器とを備えるデータ再生装置であって、
前記送信器は、
前記コンテンツデータの送信に先立って、前記受信器に認証開始要求を送信し、送信後の所定時間経過後に、認証処理を実行する認証部を含み、
前記認証処理の結果に基づき前記受信器の認証に成功しなかったと検出されたとき、前記認証開始要求の送信と前記認証処理との実行を繰返し、
前記所定時間は、前記認証開始要求の送信と前記認証処理との実行の回数に従い可変に設定される、データ再生装置。
【請求項３】
前記認証処理は、ＨＤＣＰに従う認証処理を指す、請求項２に記載のデータ再生装置。
【請求項４】
前記送信器は、通信ケーブルを介して前記受信器が接続されたことを検出する接続検出部をさらに含み、
前記認証開始要求は、前記接続検出部による前記受信器の接続検出がされた後に送信される、請求項２または３に記載のデータ再生装置。
【請求項５】
前記送信器は、
前記接続検出部による前記受信器の接続検出がされた後に、前記受信器に対し、前記出力部の特性を指すパラメータの要求を送信するパラメータ要求部をさらに含み、
前記パラメータ要求部が送信した前記要求に応じて前記受信器から受信した前記パラメータに基づき、ダミーの映像信号を生成し、生成した前記ダミーの映像信号を前記認証開始要求として前記受信器に送信する、請求項４に記載のデータ再生装置。
【請求項６】
前記送信器は、前記コンテンツデータをＤＶＤから再生するＤＶＤ装置に搭載されて、前記受信器はテレビジョン受像機に搭載される、請求項２から５のいずれか１項に記載のデータ再生装置。
【請求項７】
受信したコンテンツデータを予め準備された出力部に出力する受信器の認証に成功したと検出されたとき、コンテンツデータを前記受信器に送信する送信器であって、
前記コンテンツデータの送信に先立って、前記受信器に認証開始要求を送信し、送信後の所定時間経過後に、認証処理を実行する認証部を含み、
前記認証処理の結果に基づき前記受信器の認証に成功しなかったと検出されたとき、前記認証開始要求の送信と前記認証処理との実行を繰返し、
前記所定時間は、前記認証開始要求の送信と前記認証処理との実行の回数に従い可変に設定されて、
前記認証処理は、ＨＤＣＰに従う認証処理を指し、
前記送信器は、通信ケーブルを介して前記受信器が接続されたことを検出する接続検出部をさらに含み、前記認証開始要求は、前記接続検出部による前記受信器の接続検出がされた後に送信され、
前記接続検出部による前記受信器の接続検出がされた後に、前記受信器に対し、前記出力部の特性を指すパラメータの要求を送信するパラメータ要求部をさらに含み、
前記パラメータ要求部が送信した前記要求に応じて前記受信器から受信した前記パラメータに基づき、ダミーの映像信号を生成し、生成した前記ダミーの映像信号を前記認証開始要求として前記受信器に送信し、
前記送信器は、前記コンテンツデータをＤＶＤから再生するＤＶＤ装置に搭載されて、前記受信器はテレビジョン受像機に搭載される、送信器。
【請求項８】
受信したコンテンツデータを予め準備された出力部に出力する受信器の認証に成功したと検出されたとき、コンテンツデータを前記受信器に送信する送信器であって、
前記コンテンツデータの送信に先立って、前記受信器に認証開始要求を送信し、送信後の所定時間経過後に、認証処理を実行する認証部を含み、
前記認証処理の結果に基づき前記受信器の認証に成功しなかったと検出されたとき、前記認証開始要求の送信と前記認証処理との実行を繰返し、
前記所定時間は、前記認証開始要求の送信と前記認証処理との実行の回数に従い可変に設定される、送信器。
【請求項９】
前記認証処理は、ＨＤＣＰに従う認証処理を指す、請求項８に記載の送信器。
【請求項１０】
前記送信器は、通信ケーブルを介して前記受信器が接続されたことを検出する接続検出部をさらに含み、
前記認証開始要求は、前記接続検出部による前記受信器の接続検出がされた後に送信される、請求項８または９に記載の送信器。
【請求項１１】
前記接続検出部による前記受信器の接続検出がされた後に、前記受信器に対し、前記出力部の特性を指すパラメータの要求を送信するパラメータ要求部をさらに含み、
前記パラメータ要求部が送信した前記要求に応じて前記受信器から受信した前記パラメータに基づき、ダミーの映像信号を生成し、生成した前記ダミーの映像信号を前記認証開始要求として前記受信器に送信する、請求項１０に記載の送信器。
【請求項１２】
前記送信器は、前記コンテンツデータをＤＶＤから再生するＤＶＤ装置に搭載されて、前記受信器はテレビジョン受像機に搭載される、請求項８から１１のいずれか１項に記載の送信器。
【発明の詳細な説明】
【技術分野】
【０００１】
この発明はデータ再生装置と送信器に関し、特に、送信側から音声データおよび／または映像データを受信側に送信して、受信側では受信したデータを再生するためのデータ再生装置と送信器に関する。
【背景技術】
【０００２】
ＡＶ（音声（Audio）および映像（Visual））のデジタルデータを通信により転送するためのインターフェイスとしては、さまざまな規格が提案されているが、コンテンツのデータが転送の対象となる場合は複製の防止が重要となる。このような複製防止を図るために、コンテンツのデータを転送するに際しては、認証動作が行なわれることがある。
【０００３】
従来、上述の認証動作のためのインタフーェイス規格であるＨＤＭＩ（High Definition multimedia Interface）またはＤＶＩ（Digital Visual Interface）に従う機能が搭載された製品が提案されている。このような製品であれば、著作権保護などのための暗号化に用いられるＨＤＣＰ（High−bandwidth Digital Content Protection system）に対応する機能の搭載が必須となる。
【０００４】
このＨＤＣＰを用いた認証機能では、認証動作を開始するタイミングによっては、認証結果がＯＫにならずに、送信側はデータを転送することができず、受信側ではデータを受信できずに映像を表示できない場合があった。このような課題を解消するために、従来は、認証動作に成功（認証結果がＯＫを指す）するのに要する時間が一番長い機種のレシーバに合わせたタイミングで認証を開始するようにしている。
【０００５】
しかしながら、多くの機種のレシーバの能力は、認証開始のタイミングを早くしても問題がないにもかかわらず、映像を出力できるまでに無駄な待ち時間が生じるという課題を有していた。
【０００６】
上述の認証機能を改良する技術が、たとえば特許文献１に示される。特許文献１おいては、受信装置がパワーダウンモードになるとその後にパワーダウンモードが解除された後において、所定の指令により送信装置が認証コードの送出を再開するようにして、認証の失敗を防いでいる。また、特許文献２においては、ＤＶＩのＤＤＣ（Display Data channel）の負荷容量を軽減して、送信信号の波形なまりを防止しながらケーブルの長距離化を容易にする技術が開示されている。
【特許文献１】特開２００６−１６３５８５号公報
【特許文献２】特開２００５−５１５５８号公報
【発明の開示】
【発明が解決しようとする課題】
【０００７】
しかしながら、上述のいずれの特許文献においても、認証開始のタイミングを、相手側のレシーバの能力に合わせて調整するという構成は提供されていない。したがって、すべてのレシーバについて、一律に同じ認証開始タイミングを採用することに起因した課題を解消することができなかった。
【０００８】
それゆえにこの発明の目的は、認証開始タイミングを受信器の機能に合わせて可変に設定することのできるデータ再生装置と送信器を提供することである。
【課題を解決するための手段】
【０００９】
この発明のある局面に従うと、受信したコンテンツデータを予め準備された出力部に出力する受信器と、受信器の認証に成功したと検出されたとき前記コンテンツデータを受信器に送信する送信器とを備えるデータ再生装置は、以下の特徴を有する。
【００１０】
送信器は、コンテンツデータの送信に先立って、受信器に認証開始要求を送信し、送信後の所定時間経過後に、認証処理を実行する認証部を含み、認証処理の結果に基づき受信器の認証に成功しなかったと検出されたとき、認証開始要求の送信と認証処理との実行を繰返し、所定時間は、認証開始要求の送信と認証処理との実行の回数により可変に設定される。
【００１１】
認証処理は、ＨＤＣＰに従う認証処理を指す。
送信器は、通信ケーブルを介して受信器が接続されたことを検出する接続検出部を含み、認証開始要求は、接続検出部による受信器の接続検出がされた後に送信される。
【００１２】
送信器は、接続検出部による受信器の接続検出がされた後に、受信器に対し、出力部の特性を指すパラメータの要求を送信するパラメータ要求部をさらに含み、パラメータ要求部が送信した要求に応じて受信器から受信したパラメータに基づき、ダミーの映像信号を生成し、生成したダミーの映像信号を認証開始要求として受信器に送信する。
【００１３】
送信器は、コンテンツデータをＤＶＤから再生するＤＶＤ装置に搭載されて、受信器はテレビジョン受像機に搭載される。
【００１４】
この発明の他の局面に従うと、受信したコンテンツデータを予め準備された出力部に出力する受信器と、受信器の認証に成功したと検出されたときコンテンツデータを受信器に送信する送信器とを備えるデータ再生装置においては、送信器は、コンテンツデータの送信に先立って、受信器に認証開始要求を送信し、送信後の所定時間経過後に、認証処理を実行する認証部を含み、認証処理の結果に基づき受信器の認証に成功しなかったと検出されたとき、認証開始要求の送信と認証処理との実行を繰返し、所定時間は、認証開始要求の送信と認証処理との実行の回数により可変に設定される。
【００１５】
したがって、認証処理に失敗し（成功せず）認証処理に開始タイミングを認証開始要求の送信と認証処理との実行の回数により可変に設定することができるので、受信器のうち認証処理を早期に開始することのできる機器については認証処理を早くに開始できて、コンテンツデータを速やかに送信できる。
【００１６】
好ましくは、認証処理は、ＨＤＣＰに従う認証処理を指す。したがってＨＤＣＰに従い著作権を保護すべきコンテンツデータについては、認証に成功した受信器についてのみコンテンツデータを送信できる。
【００１７】
好ましくは、送信器は、通信ケーブルを介して受信器が接続されたことを検出する接続検出部をさらに含み、認証開始要求は、接続検出部による受信器の接続検出がされた後に送信される。
【００１８】
したがって、認証処理の開始は受信器の接続が検出されると自動的に開始できる。
好ましくは、送信器は、接続検出部による受信器の接続検出がされた後に、受信器に対し、出力部の特性を指すパラメータの要求を送信するパラメータ要求部をさらに含み、パラメータ要求部が送信した要求に応じて受信器から受信したパラメータに基づき、ダミーの映像信号を生成し、生成したダミーの映像信号を認証開始要求として受信器に送信する。
【００１９】
したがって、送信器が生成して送信するダミーの映像信号は、受信器が接続している、すなわち制御が可能な出力部のパラメータに基づき生成されているので、受信器はダミーの映像信号を受信して扱う（処理・解析など）することができる。
【００２０】
好ましくは、送信器は、コンテンツデータをＤＶＤから再生するＤＶＤ装置に搭載されて、受信器はテレビジョン受像機に搭載される。
【００２１】
この発明の更に他の局面に従うと、受信したコンテンツデータを予め準備された出力部に出力する受信器の認証に成功したと検出されたとき、コンテンツデータを前記受信器に送信する送信器は、コンテンツデータの送信に先立って、受信器に認証開始要求を送信し、送信後の所定時間経過後に、認証処理を実行する認証部を含み、認証処理の結果に基づき受信器の認証に成功しなかったと検出されたとき、認証開始要求の送信と認証処理との実行を繰返し、所定時間は、認証開始要求の送信と認証処理との実行の回数により可変に設定される。認証処理は、ＨＤＣＰに従う認証処理を指す。
【００２２】
送信器は、通信ケーブルを介して受信器が接続されたことを検出する接続検出部をさらに含み、認証開始要求は、接続検出部による受信器の接続検出がされた後に送信され、接続検出部による受信器の接続検出がされた後に、受信器に対し、出力部の特性を指すパラメータの要求を送信するパラメータ要求部をさらに含み、パラメータ要求部が送信した要求に応じて受信器から受信したパラメータに基づき、ダミーの映像信号を生成し、生成したダミーの映像信号を前記認証開始要求として前記受信器に送信し、送信器は、コンテンツデータをＤＶＤから再生するＤＶＤ装置に搭載されて、受信器はテレビジョン受像機に搭載される。
【００２３】
この発明の更に他の局面に従うと、受信したコンテンツデータを予め準備された出力部に出力する受信器の認証に成功したと検出されたとき、コンテンツデータを受信器に送信する送信器であって、コンテンツデータの送信に先立って、受信器に認証開始要求を送信し、送信後の所定時間経過後に、認証処理を実行する認証部を含み、認証処理の結果に基づき受信器の認証に成功しなかったと検出されたとき、認証開始要求の送信と認証処理との実行を繰返し、所定時間は、認証開始要求の送信と認証処理との実行の回数により可変に設定される。
【００２４】
好ましくは、認証処理は、ＨＤＣＰに従う認証処理を指す。
好ましくは、送信器は、通信ケーブルを介して受信器が接続されたことを検出する接続検出部をさらに含み、認証開始要求は、接続検出部による受信器の接続検出がされた後に送信される。
【００２５】
好ましくは、接続検出部による受信器の接続検出がされた後に、受信器に対し、出力部の特性を指すパラメータの要求を送信するパラメータ要求部をさらに含み、パラメータ要求部が送信した要求に応じて受信器から受信したパラメータに基づき、ダミーの映像信号を生成し、生成したダミーの映像信号を認証開始要求として受信器に送信する。
【００２６】
好ましくは、送信器は、コンテンツデータをＤＶＤから再生するＤＶＤ装置に搭載されて、受信器はテレビジョン受像機に搭載される。
【発明の効果】
【００２７】
本発明によれば、証処理に失敗し（成功せず）認証処理に開始タイミングを認証開始要求の送信と認証処理との実行の回数により可変に設定することができるので、受信器のうち認証処理を早期に開始することのできる機器については認証処理を早くに開始できて、コンテンツデータを速やかに送信できる。したがって、ユーザが出力部を介してコンテンツが出力されるまで必要以上に待たされることがなくなり、利便性に優れる。
【発明を実施するための最良の形態】
【００２８】
以下、この発明の実施の形態について図面を参照し詳細に説明する。
図１には、本実施の形態に係る再生装置の構成例が示される。再生装置は、ＤＶＤ（Digital Versatile Disc）装置１００およびＴＶ受像機２００、ならびに両者を通信により接続するための１本のケーブル４００を備える。
【００２９】
ＤＶＤ装置１００は、ＤＶＤ装置１００に着脱自在に装着されるＤＶＤ（Digital Versatile Disc）１０４、ＤＶＤ１０４のデータをアクセスをするためのドライブ制御部１０２、ドライブ制御部１０２を介してＤＶＤ１０４から読出されたデータをデコードするためのＡＶ（Audio Visual）デコーダ１０３および送信器１０１を備える。
【００３０】
送信器１０１は、ＨＤＭＩ送信部１０６、ＨＤＭＩコネクタ１０７、ＣＰＵ（Central Processing Unit）を有する制御部１０５、メモリ１０９およびタイマ１１０を含む。
【００３１】
ＴＶ受像機２００は、受信器２０１とＬＣＤ（Liquid Crystal Display）、ＰＤＰ（Plasma Display Panel）などが適用される画像表示装置２１０を備える。受信器２０１は、ＨＤＭＩ受信部２０６、映像／音声処理部２０３、ＣＰＵを有する制御部２０５、メモリ２０９およびＨＤＭＩコネクタ２０７を含む。
【００３２】
図１ではＤＶＤ１０４から読出されたコンテンツのデータを、送信器１０１から受信器２０１に送信して、受信器２０１は受信したデータに基づく画像・音声を画像表示装置２１０で表示・出力する。ここでは、コンテンツを供給する媒体をＤＶＤ１０４としているが、ＨＤ（Hard Disc）であってもよく、媒体を特定するものではない。
【００３３】
送信器１０１と受信器２０１との間はＴＭＤＳ（Transmission Minimized Differential Signaling）に従うデジタルシリアルデータライン１、ＤＤＣ（Display Data channel）に従うライン２、およびホットプラグライン３からなるケーブル４００を介して接続されている。
【００３４】
ＨＤＭＩ送信部１０６と制御部１０５はＩ２Ｃ（Inter Integrated Circuit）バスにより接続される。また、ＨＤＭＩ送信部２０６と制御部２０５もＩＳＣバスにより接続される。Ｉ２Ｃバスは、ＳＣＬ（Serial Clock）とＳＤＡ（Serial Data Line）の２本の信号線からなる。
【００３５】
図２を参照して、ＤＶＤ装置１００には、フロントパネルに設けられたキー入力部１２０、ＤＶＤ装置１００の動作モードなどを表示するためのディスプレイ１２２と、キー入力部１２０に代替して操作されるリモートコントローラ１２１から与えられる信号を受信する機能を有する。リモートコントローラ１２１は、ＤＶＤ装置１００に対して各種の指示を与えるためにユーザにより操作される。
【００３６】
ＤＶＤ装置１００においてＤＶＤ１０４から読出されたコンテンツのデータが、ＴＶ受像機２００に送信されるとき、その送信に先だってＤＶＤ装置１００とＴＶ受像機２００との間において送信器１０１と受信器２０１を用いた認証動作が行なわれる。この認証動作のために、メモリ１０９には、図３に示されるテーブル１０が予め格納されている。
【００３７】
図３を参照してテーブル１０には、送信器１０１と受信器２０１との間での認証動作がトライされた回数を示す複数のデータ１１と、データ１１のそれぞれに対応して、時間を示すデータ１２が格納されている。テーブル１０では、データ１１が示す認証がトライされた回数が１回目、２回目および３回目のそれぞれに対応して、時間のデータ１２として２００ｍｓｅｃ、１０００ｍｓｅｃおよび２０００ｍｓｅｃが格納されている。時間のデータ１２は、受信器２０２との間で認証処理を開始するまでの後述する待ち時間を指す。認証処理により認証に成功すると受信器２０２にコンテンツデータが送信されて受信器２０２にコンテンツデータが出力される。コンテンツデータ出力までのユーザの待ち時間を考慮して、時間のデータ１２の最大値は２０００ｍｓｅｃとしているが、この値に限定するものではない。
【００３８】
図４と図５にはこの発明の実施の形態に係る処理フローチャートが示される。
図６（Ａ）には、送信器１０１の機能構成が示される。送信器１０１は、中央制御部１３０、認証部１３１、ダミーデータ生成部１３２、ケーブル４００を介して受信器２０２が接続されたことを検出する接続検出部の機能を有するホットプラグ（Hot Plug）検出部１３３、スクランブル部１３４、送信処理部１３５、受信処理部１３６、決定部１３７およびWait時間（待ち時間）設定部１３９を備える。認証部１３１は乱数列発生部１４１、ＫＳＶ（データ作成部１４２および照合部１４３を有する。
【００３９】
図７を参照し受信器２０１は、中央制御部２３０、認証部２３１、ＥＤＩＤ（Extended Display Identification Data）処理部２３２、送信部２３５、受信部２３６およびスクランブル解除部２３４を備える。認証部２３１は、ＫＳＶ（Key Selection Vector）データ作成部２４２を有する。
【００４０】
次に図４と図５のフローチャートに従い、デジタルコンテンツの送信開始時の認証処理について説明する。コンテンツデータの送信のために、送信器１０１と受信機２０２との間で通信が行なわれるが、コンテンツデータ通信の開始に先立って行なわれる当該認証処理では、片方の装置のみ（すなわち、受信器２０２）のみに対して認証を行う。
【００４１】
まず、ＤＶＤ１０４から所定のデジタルコンテンツを再生し出力するための指示が、たとえばキー入力部１２０を介して制御部１０５に外部から与えられているとする。
【００４２】
送信器１０１のホットプラグ検出部１３３は、ＨＤＭＩコネクタ１０７の信号レベルに基づき、受信器２０２とホットプラグライン３を介して接続されたか否かを常に検出している（ステップＳ３）。ホットプラグライン３が接続されたことが検知される（ここではHot Plugの検出と称する）までは、ステップＳ３の処理が繰返される。Hot Plugの検出がされると、受信器１０１側の処理が開始される。ここでいう、Hot Plugの検出は次のように行なわれる。
【００４３】
送信器１０１のＨＤＭＩコネクタ１０７の図示のないケーブル接続端子は、常時５Ｖの電位に保持されている。ホットプラグライン３の一端が送信器１０１側のケーブル接続端子に接続されて且つ他端が受信器２０２のＨＤＭＩコネクタ２０７の図示のないケーブル接続端子に接続されると、これにより、ホットプラグライン３と、送信器１０１および受信器２０２のケーブル接続端子とにより閉じた回路が構成されるので、送信器１０１側は５Ｖの電圧信号を出力したことに応じて相手（受信機器２０１）から５Ｖの電圧信号を入力することができる。したがって、ホットプラグ検出部１３３はケーブル接続端子に５Ｖの電圧信号が入力されたことを検出すると、応じてHot Plugの検出に成功するので送信器１０１に受信器２０２は接続されたことを検知する。なお、他端に受信器２０２が接続されないと限りは当該閉じた回路は構成されないから、５Ｖの電圧信号の出力はするけれども、応答としての５Ｖの電圧信号を入力することはできないので、ホットプラグ検出部１３３はケーブル接続端子に５Ｖの電圧信号が入力されたことを検出できず、Hot Plugの検出をすることはできないので送信器２０２は接続されていないと検知する。
【００４４】
Hot Plugの検出は、すなわちケーブル４００により送信器１０１と受信器２０２との接続が確立された状態が検出されたことを指す。
【００４５】
Hot Plugの検出がなされると（ステップＳ３でＹＥＳ）、中央制御部１３０は、認証回数のカウントのための一時的な変数ＣＴの値を１に初期設定する（ステップＳ５）。変数ＣＴはメモリ１０９の記憶領域を指す。
【００４６】
次に、送信処理部１３５は、ＥＤＩＤ要求を、ケーブル４００を介し送信する（ステップＳ７）。ＥＤＩＤ要求は、ＴＶ受像機２００のメモリ２０９内に予め格納されたＥＤＩＤデータを要求する信号であり、ＥＤＩＤデータは、画像表示装置２１０の仕様・特性（解像度、アスペクト比、フルＨＤ（High Definition）対応の別など）を指すパラメータを示す。
【００４７】
一方、ＴＶ受像機２００の受信器２０２においては、受信部２３６がＨＤＭＩコネクタ２０７を介してケーブル４００を経由した送信器１０１からの送信信号を受信するまでは、中央制御部２３０は待機する（ステップＴ３）。受信部２３６は信号を受信すると（ステップＴ３でＹＥＳ）、中央制御部２３０は受信した信号を解析して、解析結果に基づき受信信号はＥＤＩＤ要求を指すか否かを判定する（ステップＴ５）。ＥＤＩＤ要求以外の信号であると判定すると（ステップＴ５でＮＯ）、ＥＤＩＤ要求が受信されたと判定されるまではステップＴ３とＴ５の処理が繰返される。
【００４８】
一方、解析結果に基づき受信信号はＥＤＩＤ要求を指すと判定されると（ステップＴ５でＹＥＳ）、ＥＤＩＤ処理部２３２は、メモリ２０９を検索して、ＥＤＩＤデータを読出す（ステップＴ７）。その後、読出されたＥＤＩＤデータは送信部２３５に与えられるので、送信部２３５は、与えられるＥＤＩＤデータをＥＤＩＤ要求送信に対する応答として、ＨＤＭＩコネクト２０７およびライン２を経由して送信器１０１に送信する（ステップＴ９）。
【００４９】
送信器１０１では、中央処理部１０１はＥＤＩＤ要求を送信後は受信処理部１３６によりＥＤＩＤデータを受信したか否かを判定する（ステップＳ９）。ＥＤＩＤデータを受信したと判定されるまでは、当該処理が繰返される。受信したことが判定されると（ステップＳ９でＹＥＳ）、次の処理（ステップＳ１１）に移行する。
【００５０】
ステップＳ１１では、中央制御部１３０は受信したＥＤＩＤデータに基づき、ＴＶ受像機２００の受信器２０２との通信に関してＤＶＩおよびＨＤＭＩのいずれに従いコンテンツの送信を実施するかを判定するとともに、判定された結果に基づき、コンテンツデータの送信レートが決定され（ステップＳ１３）、また、送信データに関して解像度が決定される（ステップＳ１５）。
【００５１】
つまり、受信器２０２から受信したＥＤＩＤデータが示す解像度・アスペクト比などの画像表示装置２１０の表示規格データに基づき、ＤＶＩおよびＨＤＭＩのいずれの規格に従い通信をするかを決定し、さらに、受信器２０２側の画像表示装置２１０で出力可能なコンテンツデータとして送信できるように送信レートなど決定する。
【００５２】
その後、ダミーデータ生成部１３２は、映像のダミーデータを生成し、生成したダミーデータを送信処理部１３５に与えるので、送信処理部１３５は与えられるダミーデータの信号（映像信号）を、ＨＤＭＩコネクタ２０７を介して受信機１０１に送信する（ステップＳ１７）。このダミーデータ映像信号は受信器２０２に対し、認証処理の開始要求を送信することに相当する。受信器２０２の機能によってはダミー映像信号を受信すると認証処理モードに移行しようとするものがある一方で、備える機能（機種）によっては直ぐには認証処理に移行できない受信機器２０２も、送信器１０１に接続される可能性がある。そこで、このような認証処理開始タイミングが受信器２０２によりバラツクことを考慮して、本実施の形態では、次に説明するように送信器１０１は認証処理の開始要求を送信後は、認証処理開始までの時間を受信器２０２により可変に設定する。
【００５３】
具体的には、受信器２０２においては、受信部２３６がダミーデータ映像信号を受信する（ステップＴ１１およびＴ１３でＹＥＳ）。中央制御部２０３は受信信号を解析してダミーデータ映像信号を受信したと判定すると（認証処理に開始要求を受信したと検出すると）、続いて、認証部２３１により認証処理を行なわせる。
【００５４】
一方、送信器１０１においても、ダミーデータ送信後は、Wait時間設定部１３９は、現在の認証回数を示す変数ＣＴの値に基づきメモリ１０９のテーブル１０を検索して、変数ＣＴの値を指すデータ１１に対応する時間のデータ１２を読出す。読出された時間のデータ１２は中央制御部１３０に与えられる（ステップＳ１９）。中央制御部１３０は与えられた時間のデータ１２が示す時間だけ、タイマ１１０を用いて計時しながら待機（Wait）する（ステップＳ２１）。この待機期間においては、送信器１０１および受信器２０２では送信動作も受信動作も一切行なわれていない。
【００５５】
中央制御部１３０が、待機期間が終了したことをタイマ１１０の計時時間に基づき検出すると、認証部１３１により認証処理が行なわれる（ステップＳ２３）。
【００５６】
受信器２０２の認証処理（ステップＴ１５）および送信器１０１の認証処理（ステップＳ２３）は、受信器１０１と送信器２０２がデータ／信号を送受信しながら行なわれる。この認証処理では送信器１０１が受信器２０２を認証するのみであり、受信器２０２が送信器１０１を認証することはない。認証処理の詳細は後述する。
【００５７】
送信器１０１においては、ステップＳ２３の認証処理の結果に基づき、中央制御部１３０は、受信器２０２の認証に成功した（認証ＯＫ）と判定すると、ドライブ制御部１０２を、予め入力部１２０の操作を介して指定された所定のコンテンツデータをＤＶＤ１０４から読出すように制御する。ドライブ制御部１０２によって読出されたコンテンツデータ（映像・音声のデータ）は、デコーダ１０３に与えられ、デコード処理されてデジタル信号として出力される。デジタル信号はＨＤＭＩ送信部１０６およびＨＤＭＩコネクタ１０７を介して、デジタル信号ライン１を経由し、受信器２０１に送信される（ステップＳ２９）。
【００５８】
一方、認証処理（ステップＳ２３）の結果に基づき、中央制御部１３０は認証に失敗した（認証ＮＧ）と判定すると（ステップＳ２５でＮＯ）、変数ＣＴの値が３以上を指すか否かを判定する（ステップＳ２６）。３以上を指すと判定する一連の処理を終了する。したがって、変数ＣＴが指す認証トライ回数が３回以上である場合にはコンテンツデータの受信器２０２への送信は行なわれない。
【００５９】
一方、中央制御部１３０は変数ＣＴの値は３以上を指さないと判定すると変数ＣＴの値を１インクリメントする（ステップＳ２７）。その後、ステップＳ１７の処理に戻り、ダミーデータ生成部１３２および送信処理部１３５によって、生成されたダミーデータはデジタル信号ライン１を経由し、受信器２０１に送信される。その後、ステップＳ１９とＳ２１において、wait時間設定部１３９により現在の変数ＣＴの値に基づきテーブル１０が検索される。検索により新たな時間のデータ１２が読出されて、読出された時間だけさらに待機した後に、再度、認証処理が行なわれる（ステップＳ２３）。これにより、認証の開始タイミングを認証に失敗した場合に変更することができる。
【００６０】
また、送信器１０１では受信器２０２の認証に成功しない間は、認証に成功しなかった回数（認証処理のトライ回数）が多いほどテーブル１０から読出される待ち時間のデータ１２が指す時間を長くしているので、認証のリトライ回数に応じて次の認証までの待機時間を長くすることができる。
【００６１】
上述のように送信器１０１において認証処理が行なわれる間は、受信器２０１においても認証処理（ステップＴ１５）が行なわれる。認証処理の終了後は、受信部２３６は、送信器１０１からのコンテンツデータの受信を待機する（ステップＴ１７）。受信したデータが映像などのコンテンツデータであると判定すると（ステップＴ１９でＹＥＳ）、受信したコンテンツデータはＨＤＭＩ受信機２０６、映像／音声処理部２０３を介して画像表示装置２１０において映像が表示され音声は出力される（ステップＴ２１）。
【００６２】
次に、送信器１０１の認証処理（ステップＳ２３）、および受信器２０１の認証処理（ステップＴ１５）について、図５のフローチャートを参照し説明する。
【００６３】
送信器１０１の認証部１３１においては、まず乱数列発生部１４１により、所定手順に従い乱数列が発生される（ステップＳ４１）。発生した乱数列のデータは、送信処理部１３５、ＨＤＭＩコネクタ１０７およびライン２を介して受信器２０１に送信される（ステップＳ４３）。
【００６４】
次に、ＫＳＶデータ作成部１４２はＫＳＶデータを作成する（ステップＳ４５）。作成されたＫＳＶデータはメモリ１０９に格納されて、その後は、メモリ１０９から読出されて認証処理に用いられる。ＫＳＶデータ作成後は、受信器２０１から受信器２０１のＫＳＶデータを受信するまで待機する（ステップＳ４７）。
【００６５】
受信器２０１においては、認証部２３１は、送信器１０１から送信された乱数列データを受信する（ステップＴ３１でＹＥＳ）。
【００６６】
次に、ＫＳＶデータ作成部２４２は、受信した乱数列データに基づき、ＫＳＶデータを作成する（ステップＴ３３）。作成されたＫＳＶデータは、送信部２３５によって、送信器１０１に送信される（ステップＴ３５）。作成されたＫＳＶデータはメモリ２０９に格納されて、その後は、メモリ２０９から読出されて認証処理に用いられる。
【００６７】
送信器１０１においては、受信器２０１からＫＳＶデータを受信するので（ステップＳ４７でＹＥＳ）、照合部１４３は、ステップＳ４５で作成したＫＳＶデータと、ステップＳ４７で受信したＫＳＶデータとを照合する（ステップＳ４９）。照合の結果、両ＫＳＶデータは一致していると判定されると（Ｓ５１でＹＥＳ）、認証ＯＫの出力がされ、両ＫＳＶデータが一致していない場合には、認証ＮＧが出力される（ステップＳ５５）。
【００６８】
ここで、ＫＳＶデータ２０は、図８のように複数のキー２１が登録されたテーブルに相当し、照合部１４３は両テーブルの所定アドレスに記録されたキー２１を読出し、読出したキー２１の値同士を比較し、両値が一致していれば、ＫＳＶデータ同士は一致していると判定されて（Ｓ５５でＹＥＳ）、不一致であれば、ＫＳＶデータが一致しないと判定される（ステップＳ５１でＮＯ）。
【００６９】
認証ＮＧの場合とは、受信器２０２で十分なＫＳＶデータを準備できていない、受信器２０２のソフトウェアなどにバグが生じている、ケーブル４００の伝送路にノイズがある、などの場合が含まれうる。
【００７０】
送信器１０１から受信器２０２へのコンテンツデータ送信においては、部１３４は送信すべきコンテンツデータに送信器１０１に自己のＫＳＶデータ２０に基づきのスクランブルをかけた後に送信する。受信器２０２のスクランブル解除部２４は受信したコンテンツデータを、受信器２０２のＫＳＶデータに基づきそのスクランブルを解く。スクランブルが解かれたコンテンツデータは、映像／音声処理部２０３を介して画像表示装置２１０に表示される。ここでスクランブルをかけるとは、ＫＳＶデータに基づきノイズ信号を生成し、生成したノイズ信号をコンテンツデータ（映像データ、または映像データと音声データの両方）に重畳した後に送信することを指す。
【００７１】
ここでは、受信器２０２の認証に成功した後のコンテンツデータの送信中においても、たとえばコンテンツデータが指す映像データの１２７フレームのデータ送信毎に、またはたとえば２秒毎に、照合部１４３は、両ＫＳＶデータ２０の前回の照合に用いたキー２１の次位のキー２１同士の値が一致するかを判定する。一致すればコンテンツデータの送信は継続するが、不一致ならば送信を中断する（または強制的に終了する）。ここでは、次位のキー２１を指示するための、ＫＳＶテーブル２０におけるアドレスのデータは予めメモリ１０９に格納されており、照合部１４３はメモリ１０１から当該アドレスのデータを読出し、読出したアドレスデータに基づき両ＫＳＶデータ２０を検索して次位のキー２１を読出すことができる。したがって、ステップＳ５１において偶然に認証ＯＫと検出された場合であっても、その後のコンテンツデータの送信中において定期的にＫＳＶデータ２０の照合による認証が行われるので、コンテンツデータの無断の複製など著作権の保護がより実効的となる。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７３】
【図１】この発明の実施の形態に係る再生装置の構成図である。
【図２】この発明の実施の形態に係る再生装置の外観を示す図である。
【図３】この発明の実施の形態に係るテーブルの構成例を示す図である。
【図４】この発明の実施の形態に係る処理フローチャートである。
【図５】この発明の実施の形態に係る認証処理のフローチャートである。
【図６】（Ａ）と（Ｂ）は、この発明の実施の形態に係る送信装置の機能構成図である。
【図７】この発明の実施の形態に係る受信装置の機能構成図である。
【図８】この発明の実施の形態に係るＫＳＶデータを説明する図である。
【符号の説明】
【００７４】
１００  ディスク再生装置、２００  テレビ受像機、１０１  送信装置、２０１  受信装置、２１０  画像表示装置、４００  ケーブル、１０  テーブル、１０４  ディスク。
【図１】
2008219796.tif 000003
【図２】
2008219796.tif 000004
【図３】
2008219796.tif 000005
【図４】
2008219796.tif 000006
【図５】
2008219796.tif 000007
【図６】
2008219796.tif 000008
【図７】
2008219796.tif 000009
【図８】
2008219796.tif 000010